(57)【要約】【課題】本発明の目的は、記録材に画像が斜めに印刷されてしまう問題を回避するとともに、各ユニットのメンテナンス性を向上させることである。【解決手段】記録材の斜行を補正するためのレジストユニットと、像担持体とニップ部を形成し前記斜行が補正された記録材にトナー像を転写する転写部を含む転写ユニットと、画像形成装置の装置本体に開閉可能に設けられた開閉扉と、を備えた画像形成装置であって、前記レジストユニットを位置決めするための第１の位置決め部と前記転写ユニットを位置決めするための第２の位置決め部とを備えた位置決め部材を有し、前記位置決め部材は、前記開閉扉を開いた際に、前記開閉扉側から前記レジストユニット、前記転写ユニットを挿抜するための案内部を備えている。【選択図】    図９
2015200683.tif 000002
【特許請求の範囲】
【請求項１】
記録材の斜行を補正するためのレジストユニットと、
像担持体とニップ部を形成し前記斜行が補正された記録材にトナー像を転写する転写部を含む転写ユニットと、
画像形成装置の装置本体に開閉可能に設けられた開閉扉と、を備えた画像形成装置であって、
前記レジストユニットを位置決めするための第１の位置決め部と前記転写ユニットを位置決めするための第２の位置決め部とを備えた位置決め部材を有し、
前記位置決め部材は、前記開閉扉を開いた際に、前記開閉扉側から前記レジストユニット、前記転写ユニットを挿抜するための案内部を備えていることを特徴とする画像形成装置。
【請求項２】
前記像担持体に形成された画像を補正するために前記像担持体に形成された画像を読み取る検知ユニットを備え、
前記位置決め部材は、さらに、前記検知ユニットを位置決めするための第３の位置決め部と、前記開閉扉側から前記検知ユニットを挿抜するための案内部を備えていることを特徴とする請求項１に記載の画像形成装置。
【請求項３】
前記検知ユニットは、前記レジストユニットと前記転写ユニットの間に設けられ、前記第３の位置決め部と当接する第１の当接部と、前記第１の当接部とは直交する方向にて前記転写ユニットと当接する第２の当接部を有することを特徴とする請求項２に記載の画像形成装置。
【請求項４】
前記レジストユニットは前記位置決め部材への位置決め部を備えたガイド部材を有し、
前記レジストユニットは、前記ガイド部材に設けられたレジスト内ローラと、前記開閉扉に設けられ前記レジスト内ローラに対向してニップ部を形成するレジスト外ローラと、を有し、
前記レジスト外ローラは、前記開閉扉を閉じた際に、前記ガイド部材あるいは前記位置決め部材に位置決めされるとともに、前記開閉扉を開いた際に、前記開閉扉とともに移動され、前記レジスト内ローラから離間することを特徴とする請求項１から請求項３のいずれか１項に記載の画像形成装置。
【請求項５】
前記レジスト外ローラは駆動回転するゴムローラであり、前記レジスト内ローラは前記レジスト外ローラに従動して回転する樹脂ローラであり、
前記位置決め部材は、前記レジスト外ローラの位置決め部を備えていることを特徴とする請求項４に記載の画像形成装置。
【請求項６】
前記転写ユニットは前記位置決め部材への位置決め部を備えた転写フレームを有し、
前記転写ユニットは、前記像担持体を張架する張架部材と、前記開閉扉に設けられ前記像担持体を介して前記張架部材と対向してニップ部を形成する転写部材と、を有し、
前記転写部材は、前記開閉扉を閉じた際に、前記転写フレームあるいは前記位置決め部材に位置決めされるとともに、前記開閉扉を開いた際に、前記開閉扉とともに移動され、前記像担持体から離間することを特徴とする請求項１から請求項５のいずれか１項に記載の画像形成装置。
【発明の詳細な説明】
【技術分野】
【０００１】
本発明は、電子写真方式のＦＡＸ、プリンタを有する複合機等の画像形成装置に関する。
【背景技術】
【０００２】
従来、電子写真方式の画像形成装置としては、転写ユニットにおける中間転写ベルトに各色のトナー像を順次重ねて転写し、該中間転写ベルトに担持されたトナー像を転写ローラにより、レジストユニットから搬送された記録材に一括して転写する構成が知られている。
【０００３】
この画像形成装置では、画像に対して記録材が斜めに搬送されないように記録材の斜行補正を行うレジストユニットと、記録材に未定着画像を転写するための転写ユニットによって、記録材と画像の相対的な幾何学特性の精度が左右される。
【０００４】
そこで、上記画像形成装置では、特許文献１に開示されているように、レジストユニット、転写ユニットがそれぞれ単独の位置決め部材に支持され、構成されている。
【先行技術文献】
【特許文献】
【０００５】
【特許文献１】特開２００９−７５４７９号公報
【発明の概要】
【発明が解決しようとする課題】
【０００６】
しかしながら、従来の技術では、複数の構成部品でレジストユニット、転写ユニットの位置決めが構成されている。そのため、部品公差によってアライメントが崩れた場合には、記録材に対して画像が斜めに印刷されてしまい、幾何学特性の精度に悪影響を及ぼしてしまっていた。
【０００７】
また、近年、画像形成装置本体の寿命を伸ばすニーズが高まっており、消耗品ユニットであるレジストユニット、転写ユニットを画像形成装置本体の寿命の途中で交換する必要がある。そのため、複数の構成部品で支持されていた各ユニットのメンテナンス性を向上させる必要があった。
【０００８】
そこで本発明の目的は、記録材に画像が斜めに印刷されてしまう問題を回避するとともに、各ユニットのメンテナンス性を向上させることである。
【課題を解決するための手段】
【０００９】
上記目的を達成するため、本発明は、記録材の斜行を補正するためのレジストユニットと、像担持体とニップ部を形成し前記斜行が補正された記録材にトナー像を転写する転写部を含む転写ユニットと、画像形成装置の装置本体に開閉可能に設けられた開閉扉と、を備えた画像形成装置であって、前記レジストユニットを位置決めするための第１の位置決め部と前記転写ユニットを位置決めするための第２の位置決め部とを備えた位置決め部材を有し、前記位置決め部材は、前記開閉扉を開いた際に、前記開閉扉側から前記レジストユニット、前記転写ユニットを挿抜するための案内部を備えていることを特徴とする。
【発明の効果】
【００１０】
本発明によれば、位置決め部材により、レジストユニット、転写ユニットを開閉扉側から挿抜案内し、なおかつ位置決めをするため、記録材に画像が斜めに印刷されてしまう問題を回避するとともに、各ユニットのメンテナンス性を向上させることができる。
【図面の簡単な説明】
【００１１】
【図１】実施例１の画像形成装置の断面図である。
【図２】（ａ）（ｂ）は実施例１のレジストユニットを示す斜視図である。
【図３】実施例１の転写ユニットを示す説明図である。
【図４】実施例１の転写ユニットを示す説明図である。
【図５】実施例１の転写ユニットを示す説明図である。
【図６】実施例１のレジ検知ユニットを示す説明図である。
【図７】実施例１のレジ検知ユニットを示す説明図である。
【図８】実施例１の同一位置決め部材を示す説明図である。
【図９】実施例１の同一位置決め部材を示す説明図である。
【図１０】実施例１の同一位置決め部材を示す説明図である。
【図１１】（ａ）（ｂ）は実施例１のレジストユニットの挿抜構成の説明図である。
【図１２】実施例１の転写ユニットの挿抜構成の説明図である。
【図１３】実施例１の転写ユニットの挿抜構成の説明図である。
【図１４】実施例１のレジ検知ユニットの挿抜構成の説明図である。
【図１５】（ａ）（ｂ）は実施例２のレジストユニットを示す説明図である。
【発明を実施するための形態】
【００１２】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１３】
〔実施例１〕
（画像形成装置）
本発明の実施例１に係る画像形成装置について説明する。図１は本実施例の画像形成装置の模式断面図である。
【００１４】
画像形成装置は、Ｙ（イエロ）、Ｍ（マゼンタ）、Ｃ（シアン）、Ｂｋ（ブラック）の各色の画像形成部を備える。各画像形成部において、感光ドラム１１は、帯電ローラ１２によって表面を一様に帯電された後、伝送された画像情報の信号に基づいて駆動されるレーザスキャナ１３によって、潜像を形成される。感光ドラム１１に形成された潜像は、現像器１４によってトナー像として顕在化される。感光ドラム１１上のトナー像は、転写ユニット６０の一部である一次転写ローラ１７により所定の加圧力及び静電的負荷バイアスを付与されることで、中間転写ベルト６１に順次転写される。転写後、感光ドラム１１上に残ったトナーは、感光ドラムクリーニング１５によって除去回収され、再び、次の画像形成に備える。
【００１５】
一方、記録材Ｐは、給送カセット２０から１枚ずつ給送され、レジストユニット２３に搬送される。記録材Ｐは、先端をレジストユニット２３のレジスト内ローラ２３ａとレジスト外ローラ２３ｂで構成されたニップ部に倣わせてループを形成されることで、斜行が補正される。その後、レジストユニット２３は、中間転写ベルト６１上のトナー像と同期を取って、記録材Ｐを転写ユニット６０の中間転写ベルト６１を駆動する転写駆動ローラ６２と転写部材である二次転写外ローラ３５との間に搬送する。中間転写ベルト６１上のカラーのトナー像は、対向配置された転写駆動ローラ６２及び二次転写外ローラ３５のニップ部（転写部）において、所定の加圧力と静電的負荷バイアスが付与されることで、記録材Ｐに転写される。
【００１６】
また、レジ検知ユニット１１０がレジストユニット２３と転写ユニット６０との間に配置されている。レジ検知ユニット１１０は、中間転写ベルト６１上のトナー像の画像パターンを読み取り、画像が傾いた分をレーザスキャナ１３の書き込み補正を行うことで、画像が真っ直ぐになるように制御を行っている。
【００１７】
この一連の動作によって、記録材Ｐと画像の相対的な傾きが補正され、成果物の幾何学特性の品質を安定化させている。
【００１８】
転写後、中間転写ベルト６１上に残ったトナーは、クリーニングユニット７０によって除去回収され、再び、次の画像形成に備える。記録材Ｐ上に転写されたトナー像は、定着手段である定着器４０によって、加熱加圧されることで定着され、排出ローラ対４１により排出トレイ５０上に排出される。
【００１９】
（レジストユニットの構成）
図２は本実施例のレジストユニットの構成を示す説明図である。図２（ａ）はレジスト外ローラを除いた状態のレジストユニットの斜視図、図２（ｂ）はレジスト外ローラを加えた状態のレジストユニットの斜視図である。
【００２０】
レジストユニット２３は、レジスト内ローラ２３ａ、レジスト外ローラ２３ｂ、レジ検知センサ部２３ｃ、レジガイド２３ｅで構成されている。
【００２１】
レジ検知センサ部２３ｃは、記録材Ｐの搬送タイミングを合わせるための検知手段であり、記録材の搬送方向においてレジスト内ローラ２３ａとレジスト外ローラ２３ｂで構成されたレジストニップ部の上流側に配置されている。レジ検知センサ部２３ｃを構成する揺動フラグは、レジガイド２３ｅによって形成される記録材の搬送路２３ｆ内に突出している。このレジ検知センサ部２３ｃの揺動フラグが。レジガイド２３ｅによって案内される記録材Ｐによって揺動した際に、レジ検知センサ部２３ｃを構成する不図示のフォトインタラプタを遮光する。これにより、レジ検知センサ部２３ｃは、記録材Ｐの搬送されてきたタイミングを読み取る。
【００２２】
ガイド部材としてのレジガイド２３ｅは記録材Ｐの搬送路２３ｆを形成し、レジスト内ローラ２３ａを支持し、画像形成装置の装置本体１との位置決め部２３ｇを記録材の搬送方向と直交する幅方向の両側に形成している。
【００２３】
レジスト内ローラ２３ａと対向してレジストニップ部を形成するレジスト外ローラ２３ｂは、アライメント精度を出すために、レジガイド２３ｅの前記幅方向の両側に配置されたレジスト外ローラ位置決め部２３ｄに位置決めされる。レジスト外ローラ２３ｂは、画像形成装置の装置本体１に対して開閉可能に設けられた開閉扉９２（図１参照）に設けられている。従って、レジスト外ローラ２３ｂは、搬送路２３ｆにて記録材Ｐが紙詰まりした場合に、その記録材Ｐを処理しやすいように開閉扉９２（図１参照）を開いた際に、画像形成装置の装置本体１に残らず、対向するレジスト内ローラ２３ａから離間するよう開閉扉９２とともに開方向へ移動される。
【００２４】
（転写ユニットの構成）
次に、図３〜図５を用いて、転写ユニット６０周りの構成について説明する。
【００２５】
図３は転写ユニット回りの断面図、図４は二次転写外ローラを除いた状態の転写ユニットの斜視図、図５は二次転写外ローラを加えた状態の転写ユニットの斜視図である。
【００２６】
転写ユニット６０は、中間転写ベルト６１、駆動ローラ６２、テンションローラ６４、従動ローラ６３、一次転写ローラ１７、転写フレーム６５、テンションローラ軸受６６、テンションバネ６７、クリーニングユニット７０、二次転写外ローラ３５で構成されている。
【００２７】
図３に示すように、像担持体としての中間転写ベルト６１は、無端状のベルト（エンドレスベルト）であり、耐屈曲疲労性を考慮し、ポリエーテルエーテルケトン（ＰＥＥＫ）樹脂を用いている。中間転写ベルト６１は、張架部材としての駆動ローラ６２、従動ローラ６３、およびテンションローラ６４の間に張架されて、駆動ローラ６２から回転駆動を受けている。
【００２８】
駆動ローラ６２、従動ローラ６３、およびテンションローラ６４は、転写フレーム６５に各々軸受を介して回転支持されている。
【００２９】
一次転写ローラ１７は、中間転写ベルト６１を介して感光ドラム１１に対向し、感光ドラム１１上のトナー像を中間転写ベルト６１に転写する一次転写部材である。一次転写ローラ１７は、直径８ｍｍの金属（例えば、ステンレス）を素材とする軸の表面を導電性の弾性材によって被覆して構成されており、導電性の弾性材によって中間転写ベルト６１に均一に高電圧を印加する。弾性材として、ＥＰＤＭ（エチレン・プロピレン共重合ゴム）、又は発泡ウレタン等が用いられる。
【００３０】
クリーニングユニット７０は、中間転写ベルト６１にクリーニングブレード７７（図１参照）を摺擦して、二次転写部を通過した中間転写ベルト６１上に残った転写残トナーをクリーニングする。
【００３１】
図４に示すように、転写フレーム６５には、画像形成装置の装置本体１との位置決め部６５ａ、６５ｂを、中間転写ベルト６１の回転移動方向と直交する幅方向の両側に形成している。
【００３２】
図３に示すように、転写部材である二次転写外ローラ３５は、像担持体である中間転写ベルト６１とニップ部を形成している。図５に示すように、二次転写外ローラ３５は、アライメント精度を出すために、転写フレーム６５側へ転写外フレーム３５ａを介して、転写フレーム６５の転写外フレーム位置決め部６５ｃに位置決めされる。二次転写外ローラ３５は、画像形成装置の装置本体１に対して開閉可能に設けられた開閉扉９２（図１参照）に設けられている。従って、二次転写外ローラ３５は、記録材Ｐが紙詰まりした場合に、その記録材Ｐを処理しやすいように開閉扉９２（図１参照）を開いた際に、画像形成装置の装置本体１に残らず、対向する中間転写ベルト６１から離間するよう開閉扉９２とともに開方向へ移動される。
【００３３】
（レジ検知ユニットの構成）
次に、図６〜図７を用いて、レジ検知ユニット１１０周りの構成について説明する。
【００３４】
図６はレジ後ガイド１１３を除いた状態のレジ検知ユニット１１０の斜視図、図７はレジ後ガイド１１３を加えた状態のレジ検知ユニット１１０の斜視図である。
【００３５】
レジ検知ユニット１１０は、第１のレジ検知センサ１１１、第２のレジ検知センサ１１２、レジ後ガイド１１３、レジ検知ホルダ１１４で構成されている。
【００３６】
図６に示すように、第１のレジ検知センサ１１１、第２のレジ検知センサ１１２は、記録材の搬送方向と直交する幅方向に並列して配置されている。第１のレジ検知センサ１１１、第２のレジ検知センサ１１２は、中間転写ベルト上の画像パターンを各々読み取り、各々の検知タイミングの時間差によって記録材の搬送方向と直交する幅方向の画像の傾き量を検出する。そして、その画像が傾いた分をレーザスキャナ１３の書き込み補正を行うことで、画像が真っ直ぐになるように制御を行っている。
【００３７】
図７に示すように、レジ後ガイド１１３は、レジストユニット２３から搬送されてくる記録材Ｐを転写ユニット６０へ案内するための画像面側の搬送ガイドである。
【００３８】
レジ検知ホルダ１１４は、第１のレジ検知センサ１１１、第２のレジ検知センサ１１２、レジ後ガイド１１３を支持している。またレジ検知ホルダ１１４は、画像形成装置の装置本体１との位置決め部１１４ａ（当接面）と、転写ユニット６０との位置決め部１１４ｂ（当接面）を形成している。
【００３９】
（位置決め部材の構成）
図８〜図１０は本実施例の位置決め部材の構成を示す断面図である。図８は本体枠に位置決めされた位置決め部材（一体化部品）を示す説明図、図９は位置決め部材（一体化部品）を示す断面図、図１０はレジ検知ユニットの位置決め等を示す詳細説明図である。
【００４０】
位置決め部材７７は一体化部品であり、図８に示すように画像形成装置の支持筐体である本体枠８に位置決めされている。位置決め部材７７はＡＢＳやＰＣ＋ＡＢＳ等の樹脂で形成された一体の成型品である。
【００４１】
前記位置決め部材７７は、図９に示すように、レジストユニット２３を位置決めするための第１の位置決め部７７ａを一体に備えている。第１の位置決め部７７ａは、図１０に示すようにＤカットが付いた突起軸形状であり、図２で示したレジストユニット２３の溝形状の位置決め部２３ｇと嵌合する。
【００４２】
さらに前記位置決め部材７７は、図９に示すように、転写ユニット６０の矢印Ｚ方向の位置決めをするための第２の位置決め部７７ｂ、７７ｃと、矢印Ｘ方向の位置決めをするための第２の位置決め部７７ｄを一体に備えている。第２の位置決め部７７ｂ、７７ｃは、図３で示した転写ユニット６０の位置決め部６５ａ、６５ｂと矢印Ｚ方向に嵌合する。また、第２の位置決め部７７ｄは、二次転写外ローラ３５からの加圧力により、図１０に示すように転写ユニット６０の位置決め部６５ａと突き当たっている。
【００４３】
さらに前記位置決め部材７７は、図９に示すように、レジ検知ユニット１１０の矢印Ｘ方向の位置決めをするための第３の位置決め部７７ｅ、７７ｆを一体に備えている。第３の位置決め部７７ｅ、７７ｆは、図１０に示すようにレジ検知ユニット１１０が付勢バネ１１５によって矢印Ｆ方向に加圧されるため、図７で示したレジ検知ユニット１１０の位置決め部（第１の当接部）１１４ａと当接する。また、レジ検知ユニット１１０の前記矢印Ｘ方向と直交する矢印Ｚ方向の位置決め部（第２の当接部）１１４ｂは付勢バネ１１５によって転写ユニット６０に突き当っている。
【００４４】
次に、図１１〜図１４を用いて、レジストユニット、転写ユニット、レジ検知ユニットの挿抜構成について説明する。図１１〜図１４はレジストユニット、転写ユニット、レジ検知ユニットの挿抜構成の説明図である。図１１（ａ）及び図１１（ｂ）はレジストユニットの挿抜構成の説明図である。図１２及び図１３は転写ユニットの挿抜構成の説明図である。図１４及び図１１（ｂ）はレジ検知ユニットの挿抜構成の説明図である。
【００４５】
前記位置決め部材７７は、図１１（ｂ）に示すように、レジストユニット２３を挿抜するための案内部７７ｇを一体に備えている。案内部７７ｇは、図１１（ｂ）に示すように、レジストユニット２３の溝形状の位置決め部２３ｇを案内するようにＤカット形状をしている。図１１（ａ）に示すように、レジストユニット２３の溝形状の位置決め部２３ｇを、位置決め部７７ａの軸周りに矢印Ｗ方向に所定の角度（ここでは１０°）だけ回転させることで、位置決め部７７ａのＤカットに位相を合わる。そして図１１（ｂ）に示すように、Ｄカットの斜面が案内部７７ｇとなり、レジストユニット２３を、開閉扉９２側から矢印Ｂ方向へ、すなわちＤカット溝と同位相の方向へ挿抜することができる。
【００４６】
さらに前記位置決め部材７７は、図１３に示すように、転写ユニット６０を挿抜するための案内部７７ｈを一体に備えている。図１２に示すように、開閉扉９２側の矢印Ａ方向へ転写ユニット６０を引き抜くことで、図１３に示すように位置決め部７７ｂ、７７ｃ、７７ｄから外れる。このように、案内部７７ｈが転写ユニット６０の位置決め部６５ａ、６５ｂを案内し、転写ユニット６０を開閉扉側から挿抜することができる。
【００４７】
さらに前記位置決め部材７７は、図１１（ｂ）に示すように、レジ検知ユニット１１０を挿抜するための案内部７７ｋを一体に備えている。図１４に示すように、レジ検知ユニット１１０を案内部７７ｋの軸周りに矢印Ｙ方向に所定の角度（ここでは６０°）だけ回転させることで、案内部７７ｋのＤカットに位相を合わせる。そして、案内部７７ｋのＤカットの斜面が案内部となり、レジ検知ユニット１１０を、開閉扉側から図１４の矢印Ｃ方向へ、すなわちＤカット溝と同位相の方向へ挿抜することができる。
【００４８】
本実施例によれば、メンテナンス時に各々のユニットを挿抜する際に、開閉扉９２側からレジストユニット２３、転写ユニット６０、レジ検知ユニット１１０を交換するための案内部を同一の位置決め部材に設けた構成をとっている。そのため、案内部を経由した先に各ユニットの位置決め部を設けられることから、位置決め部が同一部材で構成できるようになっている。
【００４９】
したがって、レジストユニット２３、転写ユニット６０、レジ検知ユニット１１０がすべて同一の位置決め部材７７に位置決めされているため、以下のような効果をもたらす。
【００５０】
レジストユニット２３と転写ユニット６０のアライメントが良化することで、記録材Ｐを真っ直ぐに送ることが可能となり、記録材Ｐが蛇行したりすることを防止することができる。
【００５１】
また、転写ユニット６０とレジ検知ユニット１１０のアライメントが良化することで、中間転写ベルト６１上に形成された画像を真っ直ぐに送ることが可能となる。
【００５２】
さらに、レジストユニット２３とレジ検知ユニット１１０のアライメントが良化することで、記録材Ｐと画像の相対的な傾きを低減させることが可能となる。したがって、記録材Ｐと画像の幾何学的特性を安定化させることが可能となる。
【００５３】
また、同一の位置決め部材７７に各々案内部を一体に設けている。これにより、案内部と位置決め部のつながりに関し、別部品で構成した場合に生じるつなぎ目の段差が生じることもなく構成可能となり、スムーズに挿抜を行うことが可能となり、メンテナンス性が向上する。
【００５４】
さらに装置の部品点数も少なくなるため、部品取付部等のスペースを確保する必要もなくなり、画像形成装置の省スペース化が可能となる。
【００５５】
尚、本実施例では、レジスト外ローラ２３ｂは、レジガイド２３ｅに位置決めする構成を例示しているが、これに限定されるものではなく、同一の位置決め部材７７に位置決めする構成としてもよい。
【００５６】
また同様に、二次転写外ローラ３５も、転写外フレーム３５ａを介して転写フレーム６５に位置決めする構成を例示しているが、これに限定されるものではなく、同一の位置決め部材７７に位置決めする構成としてもよい。
【００５７】
〔実施例２〕
本発明の実施例２に係る画像処理装置について説明する。同一の位置決め部材の構成に関しては、前述した実施例１と同様であるため、ここでは説明を省略する。
【００５８】
（レジスト外ローラの位置決め構成）
図１５は本実施例のレジスト外ローラの位置決め構成を示す斜視図である。図１５（ａ）はレジスト外ローラを図示した斜視図、図１５（ｂ）はレジスト外ローラを図示しない斜視図である。
【００５９】
画像形成装置において、レジスト外ローラ２３ｂを駆動回転するゴムローラで形成し、レジスト内ローラ２３ａを樹脂ローラで形成する場合がある。
【００６０】
この場合、レジスト内ローラ２３ａに比べて、記録材Ｐとの摩擦係数が大きいレジスト外ローラ２３ｂ側のアライメント精度を高めることが、記録材Ｐを真っ直ぐに搬送する上で必要になる。
【００６１】
そこで本実施例では、同一の位置決め部材７７にレジスト外ローラ２３ｂの位置決め部７７ｍを設け、転写ユニット６０やレジ検知ユニット１１０とのアライメントを確保する構成をとっている。
【００６２】
したがって、レジスト外ローラ２３ｂ側が駆動側のゴムローラであったとしても、実施例１と同様に記録材Ｐと画像の幾何学的特性を安定化させることが可能となる。
【符号の説明】
【００６３】
Ｐ    …記録材
１    …装置本体
８    …本体枠
１１  …感光ドラム
１７  …一次転写ローラ
２３  …レジストユニット
２３ａ …レジスト内ローラ
２３ｂ …レジスト外ローラ
２３ｃ …レジ検知センサ部
２３ｄ，２３ｇ …位置決め部
２３ｅ …レジガイド
２３ｆ …搬送路
３５  …二次転写外ローラ
３５ａ …転写外フレーム
６０  …転写ユニット
６１  …中間転写ベルト
６２  …転写駆動ローラ
６５ｃ …転写外フレーム位置決め部
７７  …位置決め部材
７７ａ，７７ｂ，７７ｃ，７７ｄ，７７ｅ，７７ｆ …位置決め部
７７ｇ，７７ｈ，７７ｋ …案内部
７７ｍ …位置決め部
９２  …開閉扉
１１０ …レジ検知ユニット
１１１，１１２ …レジ検知センサ
１１３ …レジ後ガイド
１１４ …レジ検知ホルダ
１１４ａ，１１４ｂ …位置決め部
【図１】
2015200683.tif 000003
【図２】
2015200683.tif 000004
【図３】
2015200683.tif 000005
【図４】
2015200683.tif 000006
【図５】
2015200683.tif 000007
【図６】
2015200683.tif 000008
【図７】
2015200683.tif 000009
【図８】
2015200683.tif 000010
【図９】
2015200683.tif 000011
【図１０】
2015200683.tif 000012
【図１１】
2015200683.tif 000013
【図１２】
2015200683.tif 000014
【図１３】
2015200683.tif 000015
【図１４】
2015200683.tif 000016
【図１５】
2015200683.tif 000017